(57)【特許請求の範囲】
【請求項１】
移動シートと、縦駆動シートと、横駆動シートと、電源部と、制御部から成る印刷物であって、
前記移動シートはその一方の表面が前記縦駆動シートの表面に対向して移動可能に配置され、その対向面に前記縦駆動シートの電極電位に応じた電荷が誘起され、その誘起された電荷と前記縦駆動シートの電極電位との間に静電力が発生し、その発生した静電力によって前記縦駆動シートに対して移動を行い、
また、前記移動シートはその他方の表面が前記横駆動シートの表面に対向して移動可能に配置され、その対向面に前記横駆動シートの電極電位に応じた電荷が誘起され、その誘起された電荷と前記横駆動シートの電極電位との間に静電力が発生し、その発生した静電力によって前記横駆動シートに対して移動を行い、
また、前記移動シートはそれが有するいずれかの面に印刷が行なわれており、
前記縦駆動シートはその表面が前記移動シートの一方の表面に対向して配置され、その対向面に沿う方向に電極線の複数本が互いに平行となるように配列され、その複数本の電極線が前記配列の順序にしたがって３系統に統合接続されて３系統の端子が設けられ、
前記横駆動シートはその表面が前記移動シートの他方の表面に対向して配置され、その対向面に沿う方向に電極線の複数本が互いに平行となるように配列され、その複数本の電極線が前記配列の順序にしたがって３系統に統合接続されて３系統の端子が設けられ、
また、前記縦駆動シートと前記横駆動シートは各々の前記電極線の方向が直交する方向に配置され、
前記電源部は前記制御部の制御下において前記電極線に対して所定の電位を前記３系統の端子から供給し、
前記制御部は前記移動シートを所定の方向に移動する制御を前記電源部に対して行う、
ことを特徴とする印刷物。
【請求項２】
請求項１記載の印刷物において、前記移動シートは多層に形成したシートであることを特徴とする印刷物。
【請求項３】
請求項２記載の印刷物において、前記印刷は層境界の面に行なわれる印刷であることを特徴とする印刷物。
【請求項４】
請求項３記載の印刷物において、前記移動シートは紙を材料とする内側シートの両面にプラスチックを材料とする２つの外側シートを形成した３層構造のシートであって、前記印刷は前記内側シートの面に行われる印刷であることを特徴とする印刷物。
【発明の詳細な説明】
【技術分野】
【０００１】
本発明は特殊な印刷物の技術分野に属する。特に、面に沿った任意の方向に移動することが可能でたとえばポスター等の広告掲示物に適用したときの表現性、注目性、意外性、訴求性、等に優れた印刷物に関する。
【背景技術】
【０００２】
複数の表示シートが無限軌道体を移動することにより繰返表示を可能とする連続表示装置の発明が知られている（特許文献１）。この発明によれば、無限軌道体はシート電極と駆動電源とを備える。シート電極は、無限軌道体の長さ方向に対して略直角方向に延びた複数の電極Ｐｕ，Ｐｖ，Ｐｗを形成し、所定間隔ごとに各電極Ｐｕ，Ｐｖ，Ｐｗを繰返し接続し、無限軌道体の無限軌道に対して一体に形成した電極である。また、駆動電源はシート電極の各電極Ｐｕ，Ｐｖ，Ｐｗ に対して順次電圧を印加する電源である。表示シートはシート電極に対向配置され、表示シートにはシート電極の各電極Ｐｕ，Ｐｖ，Ｐｗ に対向する表面に電荷が誘起される。その誘起された電荷とシート電極の各電極Ｐｕ，Ｐｖ，Ｐｗ に駆動電源が順次印加する電圧によって、両者間に静電力を発生させる。そして、その発生した静電力によって表示シートは無限軌道を移動する。
【０００３】
また、透光量調整装置や広告装置として利用可能であり、装置全体を薄型に構成することが出来る静電アクチュエータ装置の発明が知られている（特許文献２）。この発明によれば、静電アクチュエータ装置は移動体と一対の透光ガラス板と透明板状体とインシュレータとを備える。移動体は３相の帯状電極が所定ピッチで平行に複数配設されたフィルムであって、所定間隔に対向配置された一対の透光ガラス板間に配置される。透明板状体は、帯状電極と直交する方向に折返された扁平なＳ字状断面をなす移動体の基端部を固定する。インシュレータは移動体の折返し重合部における基端部側と中間部との間に介設される。その構成において、３相の帯状電極に供給される電荷の極性変化に応じて移動体の折返し重合部における先端部側に伸縮駆動力を付与する。折返した移動体の伸縮により透光量調整や表示のためのフィルム移動が行なわれる。
【特許文献１】特開平１１−２４９５９８
【特許文献２】特開平１０−３２９８７
【０００４】
ところが、この従来の方法においては、表示シート（移動体）は無限軌道（透光ガラス板）に沿って前進または後退を行なう。すなわち、表示シート（移動体）の移動の態様は完全に想定されたものである。そのため、ポスター等の広告掲示物に適用したときには、従来から存在する他の駆動方式に基づく動きのある広告掲示物と大差ない印象を見る者に与えるだけであるという問題がある。
そこで、前後方向（縦方向）だけでなく左右方向（横方向）に移動が行えるようにしたアクチュエータの発明が知られている（特許文献３）。このアクチュエータにおいては、固定子上にシート状の移動子が載置され、この移動子上に誘導された電荷と、固定子のマトリックス状駆動電極上の電荷との相互作用による駆動力によって上記移動子が移動する。駆動用電極回路および選択用電極回路には正電位を正電源回路から、駆動用電極回路および選択用電極回路には負電位を正電源回路から印加し、前記駆動電極に印加する正および負の電位を制御回路で制御する。
【特許文献３】特開２００５−１３７０７９  しかしながら、このアクチュエータにおける固定子の構成は極めて複雑であり、製造コストが極めて高くなるため、ポスター等の広告掲示物に適用する上では大きな制限となるものである。
【発明の開示】
【発明が解決しようとする課題】
【０００５】
本発明は上記の問題を解決するために成されたものである。その目的は、移動シートは単に前進または後退を行なうだけではなく、面に沿って縦横方向（ＸＹ方向）に任意の動きを行なうことができ、その製造コストが低く適用制限が小さく、たとえばポスター等の広告掲示物に適用することができ、そのときの表現性、注目性、意外性、訴求性、等に優れた印刷物を提供することにある。
【課題を解決するための手段】
【０００６】
本発明の請求項１に係る印刷物は、移動シートと、縦駆動シートと、横駆動シートと、電源部と、制御部から成る印刷物であって、  前記移動シートはその一方の表面が前記縦駆動シートの表面に対向して移動可能に配置され、その対向面に前記縦駆動シートの電極電位に応じた電荷が誘起され、その誘起された電荷と前記縦駆動シートの電極電位との間に静電力が発生し、その発生した静電力によって前記縦駆動シートに対して移動を行い、  また、前記移動シートはその他方の表面が前記横駆動シートの表面に対向して移動可能に配置され、その対向面に前記横駆動シートの電極電位に応じた電荷が誘起され、その誘起された電荷と前記横駆動シートの電極電位との間に静電力が発生し、その発生した静電力によって前記横駆動シートに対して移動を行い、  また、前記移動シートはそれが有するいずれかの面に印刷が行なわれており、  前記縦駆動シートはその表面が前記移動シートの一方の表面に対向して配置され、その対向面に沿う方向に電極線の複数本が互いに平行となるように配列され、その複数本の電極線が前記配列の順序にしたがって３系統に統合接続されて３系統の端子が設けられ、  前記横駆動シートはその表面が前記移動シートの他方の表面に対向して配置され、その対向面に沿う方向に電極線の複数本が互いに平行となるように配列され、その複数本の電極線が前記配列の順序にしたがって３系統に統合接続されて３系統の端子が設けられ、  また、前記縦駆動シートと前記横駆動シートは各々の前記電極線の方向が直交する方向に配置され、  前記電源部は前記制御部の制御下において前記電極線に対して所定の電位を前記３系統の端子から供給し、  前記制御部は前記移動シートを所定の方向に移動する制御を前記電源部に対して行うようにしたものである。
また、本発明の請求項２に係る印刷物は、請求項１に係る印刷物において、前記移動シートは多層に形成したシートであるようにしたものである。
また、本発明の請求項３に係る印刷物は、請求項２に係る印刷物において、前記印刷は層境界の面に行なわれるようにしたものである。
また、本発明の請求項４に係る印刷物は、請求項３に係る印刷物において、前記移動シートは紙を材料とする内側シートの両面にプラスチックを材料とする２つの外側シートを形成した３層構造のシートであって、前記印刷は前記内側シートの面に行われる印刷であるようにしたものである。
【発明の効果】
【０００７】
本発明の請求項１に係る印刷物によれば、その印刷物は移動シートと、縦駆動シートと、横駆動シートと、電源部と、制御部から成る。
移動シートはその一方の表面が縦駆動シートの表面に対向して移動可能に配置され、その対向面に縦駆動シートの電極電位に応じた電荷が誘起され、その誘起された電荷と前記縦駆動シートの電極電位との間に静電力が発生し、その発生した静電力によって縦駆動シートに対して移動を行う。また、移動シートはその他方の表面が横駆動シートの表面に対向して移動可能に配置され、その対向面に横駆動シートの電極電位に応じた電荷が誘起され、その誘起された電荷と横駆動シートの電極電位との間に静電力が発生し、その発生した静電力によって横駆動シートに対して移動を行う。また、移動シートはそれが有するいずれかの面に印刷が行なわれている。  縦駆動シートはその表面が前記移動シートの一方の表面に対向して配置され、その対向面に沿う方向に電極線の複数本が互いに平行となるように配列され、その複数本の電極線が前記配列の順序にしたがって３系統に統合接続されて３系統の端子が設けられ、  横駆動シートはその表面が移動シートの他方の表面に対向して配置され、その対向面に沿う方向に電極線の複数本が互いに平行となるように配列され、その複数本の電極線が配列の順序にしたがって３系統に統合接続されて３系統の端子が設けられ、  また、縦駆動シートと横駆動シートは各々の電極線の方向が直交する方向に配置され、  電源部は制御部の制御下において電極線に対して所定の電位を前記３系統の端子から供給し、  制御部は移動シートを所定の方向に移動する制御を電源部に対して行う。すなわち、縦駆動シートによる駆動方向（Ｙ方向）と横駆動シートによる駆動方向（Ｘ方向）とが相違することから面に沿った任意の方向に移動シートを移動することができる。また、縦横の各駆動シートには３系統の電極線が形成されるだけであるから簡易な構成となっている。したがって、移動シートは単に前進または後退を行なうだけではなく、面に沿って縦横方向に任意の動きを行なうことができ、その製造コストが低く適用制限が小さく、たとえばポスター等の広告掲示物に適用することができ、そのときの表現性、注目性、意外性、訴求性、等に優れた印刷物が提供される。
また、本発明の請求項２に係る印刷物によれば、請求項１に係る印刷物において、移動シートは多層に形成したシートである。すなわち、多層に形成することにより移動シートの一方の表面に誘起される電荷と他方の表面に形成される電荷の干渉（影響し合うこと）が緩和される。したがって縦方向の動作と横方向の動作が独立したものとなって正常動作が確実に行なわれる。
また、本発明の請求項３に係る印刷物によれば、請求項２に係る印刷物において、印刷は層境界の面に行なわれる。したがって、電荷の誘起に関して印刷層の影響を受けず、また、印刷層の機械的な磨耗を防ぐことができる。
また、本発明の請求項４に係る印刷物によれば、請求項３に係る印刷物において、移動シートは紙を材料とする内側シートの両面にプラスチックを材料とする２つの外側シートを形成した３層構造のシートであって、印刷は内側シートの面に行われる。誘電的性質の良好なプラスチックと印刷適正に良好な紙を使用することにより移動特性と表示特性に優れた印刷物が得られる。
【発明を実施するための最良の形態】
【０００８】
次に、本発明の実施の形態について図を参照しながら説明する。本発明の印刷物におけ構成の説明図を図１に示す。図１において、１は移動シート、２は横駆動シート、３は縦駆動シートである。
本発明の印刷物は、たとえば、ポスター等の広告掲示物に適用される印刷物であるが、一般的に知られている広告掲示を行なう媒体としての印刷物の部分が、本発明における移動シート１の部分と、それを両面から挟み込む横駆動シート２と縦駆動シート３の部分に相当する。しかしながら、後述するように、本発明はそれらの構成においても、それらに動きを付与させるための電源部と制御部とを備えていることにおいても、一般的な印刷物とは相違する。広告掲示物には一枚の印刷物としてのポスターだけでなく、電池、モーター等を使用して動きを付与した広告掲示物がある。本発明の印刷物はそれらとも相違するものであって、移動シート１の部分が面に沿って縦横方向に任意の動きを行なう態様の印刷物である。印刷は移動シート１の部分だけでなく、横駆動シート２と縦駆動シート３の部分にも行なうことができる。しかし、当然ながら、横駆動シート２と縦駆動シート３の全面に対して隠蔽性の高い印刷を行なうことはできない。移動シート１の動きが外側から見えなければ移動シート１を動かす意味がなくなる。
【０００９】
図１においては、本発明の印刷物における移動シート１の部分と、それを両面から挟み込む横駆動シート２と縦駆動シート３の部分が分離して示されている。図１は構成を判り易くするために、構成要素を分離して斜視図として示したものである。本発明の印刷物におけるそれらの部分は、実際は、重ね合わされた構造となっている。また、図１においては示されていないが、横駆動シート２と縦駆動シート３は同一寸法で周辺部分において接合されている。すなわち、横駆動シート２と縦駆動シート３は袋の形態を成しており、移動シート１はその袋の内部に納められている。
【００１０】
移動シート１は、その一方の表面が横駆動シート２の表面に対向して移動可能に配置されている。また、移動シート１は、その他方の表面が縦駆動シート３の表面に対向して移動可能に配置されている。相対的なものであるから、横駆動シート２は、その表面（通常は電極側の表面）が横駆移動シート２の一方の表面に対向して移動シート１が移動可能なように配置されている。また、縦駆動シート３は、その表面（通常は電極側の表面）が移動シート１の表面に対向して移動シート１が移動可能なように配置されている。
また、移動シート１は、それが有するいずれかの面に印刷が行なわれている。いずれかの面とは一方の表面と他方の表面だけでなく、移動シート１が多層構造であるときの各層の境界面を含むものとする。横駆移動シート２と縦駆動シート３にも、移動シート１と同様に、それが有するいずれかの面に印刷を行なうことができる。すなわち、本発明の印刷物は移動シート１を挟むように横駆動シート２と縦駆動シート３を重ね合わせた構成部分を備えており、その構成部分がポスターまたは広告掲示物として表示される領域となっている。
【００１１】
移動シート１は横駆動シート２との間で静電力が働くことによって横駆動シート２に対して移動を行なうことができる。そのために、横駆動シート２には、その対向面に沿う方向に電極線の複数本が互いに平行となるように配列され、その複数本の電極線が配列の順序にしたがって３系統に統合接続されて３系統の端子が設けられている（その移動原理については後述する）。
また、移動シート１は縦駆動シート３との間で静電力が働くことによって横駆動シート２に対して移動を行なうことができる。そのために、縦駆動シート３には、その対向面に沿う方向に電極線の複数本が互いに平行となるように配列され、その複数本の電極線が配列の順序にしたがって３系統に統合接続されて３系統の端子が設けられている（その移動原理については後述する）。
【００１２】
また、横駆動シート２と縦駆動シート３とは各々の電極線の方向が直交する方向に配置されている。図１において、横駆動シート２と縦駆動シート３の内部に図示されている複数の平行線は、電極線を示している。したがって、横駆動シート２によって移動シート１に作用する静電力の方向と、縦駆動シート３によって移動シート１に作用する静電力の方向とは、直交する方向となっている。
なお、横駆動シート２と縦駆動シート３の電極線は良導電体である。その材料としては、銅、アルミ、等の金属材料を使用することができる。しかし、金属材料の電極線は可視光を通さないから、電極線間の透明部分からだけ移動シート１が見えることになる。そこで、可視光を透過する透明導電膜、たとえばＩＴＯ（酸化インジウム・スズ）、等を電極線に使用すると移動シート１の全面を見ることが可能となり好適である。
また、移動シート１の存在しない表面において、横駆動シート２と縦駆動シート３とはそれらの表面が直接対向することになる。そのとき、各々の電極線が電気的にショート（短絡）しないようにする必要性がある。通常は、各々の電極線は電気的に絶縁性を有する材料によって覆われている。
【００１３】
次に、移動シート１の構成について図を参照して説明する。図２と図３は本発明の印刷物における移動シート１の構成の一例（その１とその２）を示す図である。図２と図３において、１１，１７はプラスチックフィルム層、１２，１６は接着層、１３，１５は印刷層、１４は紙（コア）である。図２と図３に示す一例においては、移動シート１は、電極線が設けられていない多層構成の移動シートである。
プラスチックフィルム層１１，１７は、移動シート１の両表面（一方の表面と他方の表面）となる表面層である。プラスチックフィルム層１１，１７は、一般的には絶縁材料（誘電体）であり、たとえば、ポリエステルフィルム、ポロプロピレンフィルム、ポリスチレンフィルム、ポリ塩化ビニール、ポリ塩化ビニリデンフィルム、ポリエチレンフィルム、ポリアミドフィルム、ポリイミドフィルム、等のプラスチックフィルムを使用することができる。また、そのような絶縁材料を対向面にラミネートした複合材料を使用することができる。移動シート１の表面、すなわちプラスチックフィルム層１１，１７の表面は、表面抵抗率が約１０12〜１０15Ω／□程度が好適である。この場合微弱な電気が流れるため、横駆動シート２と縦駆動シート３の電極線によって移動シート１に誘起された電荷は、電極線における電圧の瞬間的な変化に対して遅れて追従することになる。このような表面物性は材料表面の処理に大きく影響されることがあるため、使用することができる材料は上記に限定されず、コーティング処理で表面低効率を最適化してもよい。
【００１４】
接着層１２，１６は、（１）プラスチックフィルム層１１，１７と印刷層１３，１５、（２）プラスチックフィルム層１１，１７と印刷されていない紙（コア）１４、（３）プラスチックフィルム層１１とプラスチックフィルム層１７（図３参照）を接着するための層である。接着層の材料としてはヒートシールまたはラミネートにより接着するための熱溶融性樹脂等の非溶剤系の接着剤、塗布後乾燥させてから接着するための分散系または溶剤系の接着剤、塗布後にＵＶ（紫外線）等の電磁放射線を照射することにより硬化させて接着するＵＶ硬化系の接着剤、等を使用することができる。
印刷層１３，１５は印刷によって形成される層である。通常は紙（コア）１４に対して印刷が行なわれる。
【００１５】
紙（コア）１４は移動シート１のコア（芯）となる部分である。紙（コア）１４の役割の１つとしては、移動シート１の一方の表面と他方の表面との間隔を適正なものとすることである。移動シート１の総厚さが薄いときには、横駆動シート２と縦駆動シート３の各々の電極が形成する静電界の干渉が現れて所望の動作が行なわれなくなることがある。移動シート１の総厚さの下限値には、横駆動シート２と縦駆動シート３の各々の電極に印加する電圧値、平行に形成された電極の配列間隔、移動シート１の材質、等が関係する。移動シート１の総厚さの適正な値は実験によって得ることができる。紙（コア）１４の他の役割のとしては、前記の印刷層１３，１５を形成することである。紙（コア）１４の材料は、代表としては紙であるが、その他の材料、たとえば合成紙、プラスチックフィルム、不織布、織布、等であってもよい。
【００１６】
図２に示す移動シート１の一例と図３に示す移動シート１の一例との差異は移動シート１の周辺部分の処理の方法の差異である。図２に示す移動シート１の一例においては、移動シート１の周辺部分は断裁された側面となっており、断面が外側に露出している。この図２に示す移動シート１においては印刷面を広くすることができるという特徴を有する。これに対して、図３に示す移動シート１の一例においては、移動シート１の周辺部分は接着によりシールされた側面となっており、断面が外側に露出していない。この図３に示す移動シート１においては、移動シート１の移動を容易にする潤滑剤（シリコンオイル、フッ素系液体、等）の使用に対して、紙（コア）１４の部分と印刷層１３，１５に部分が密閉されて保護されるという特徴を有する。また、移動シート１の周辺部分が楔の先の形状であるため、横駆動シート２と縦駆動シート３と間を広げて移動し易くなるという特徴を有する。
【００１７】
次に、本発明の印刷物において、移動シート１と横駆動シート２、または移動シート１縦駆動シート３の間に静電力が発生し、その静電力により移動を行なう構成について説明する。静電力が発生し、その静電力により移動を行なう原理についての説明図を図４に示す。移動シート１と横駆動シート２の関係と移動シート１と縦駆動シート３との関係は、電極線の延びる方向が異なり移動方向が異なることを除くと、移動を行う原理については同様である。したがって、ここでは移動シート１と横駆動シート２との関係についてだけ説明する。
【００１８】
図４に示す一例において、横駆動シート２には電極線が設けられている。
横駆動シート２としては、プリント配線板、フレキシブルプリント配線板を使用することができる。電極線は横駆動シート２の移動シート１との対向面に沿う方向に複数本が互いに平行となるように配列している。その複数本の電極線が配列の順序にしたがって３系統に統合接続されて３系統の端子が設けられている。図４に示す一例においては、横駆動シート２には移動シート１との対向面に沿う方向に複数本の電極線２１ａ，２１ｂ，２１ｃ，２１ｄ，２１ｅ，２１ｆ，２１ｇ，２１ｈ，・・・が互いに平行となるように配列している。その複数本の電極線２１ａ・・・が配列の順序にしたがって３系統に統合接続されて３系統の端子Ｕ，Ｖ，Ｗが設けられている。端子Ｕ，Ｖ，Ｗには独立に任意の波形の電圧を制御部（図示せず）の制御下における電源部（図示せず）から印加することができる。電源部は端子Ｕ，Ｖ，Ｗに所定電圧の電力を供給し、制御部は印加する電圧の時系列パターンが所定パターンとなるように電源部を制御する。
【００１９】
図４を参照して、その動作の一例について説明する。まず、図４（１）に示すステップおいて、一例として、（Ｕ，Ｖ，Ｗ）＝（＋，−，０）の電圧を印加する。印加した瞬間に端子Ｕに接続する電極線は＋に、端子Ｖに接続する電極線は−に、端子Ｗに接続する電極線は０になる。
次に、図４（２）に示すステップおいて、電圧が印加された電極線による電界によって移動シート１には電荷が誘起され帯電する。端子Ｕに接続する電極線は＋であるから、移動シート１のその部位には−の電荷が誘起され、端子Ｖに接続する電極線は−であるから、移動シート１のその部位には＋の電荷が誘起され、端子Ｗに接続する電極線は０であるから、移動シート１のその部位には電荷が誘起されない。このとき、移動シート１と横駆動シート２との間には対向面に対して直角方向の引力が作用する。
【００２０】
次に、図４（３）に示すステップおいて、印加する電圧を切替えて（Ｕ，Ｖ，Ｗ）＝（−，＋，−）の電圧を印加する。移動シート１に誘起された電荷は電圧の瞬間的な変化（電極線は良導電体）に対して直ぐには追従することができない（移動シート１の表面は高抵抗値）。端子Ｕに接続する電極線は−に切替えられたが、移動シート１のその部位には−の電荷が残留し、端子Ｖに接続する電極線は＋に切替えられたが、移動シート１のその部位には＋の電荷が残留し、端子Ｗに接続する電極線は−に切替えられたが、移動シート１のその部位には電荷がまだ誘起されていない。すなわち、移動シート１と横駆動シート２との間には、対向面に対して直角方向には斥力が作用し、平行方向には図４（３）において移動シート１を右方向に引く引力が作用する。したがって、移動シート１が横駆動シート２に対して浮上し移動し易くなるとともに、移動シート１には右方向の力が作用している。
次に、図４（４）に示すステップおいて、移動シート１は横駆動シート２に対して電極線の１間隔程度だけ右方向に移動して安定する。
【００２１】
上述の一例は、移動シート１が横駆動シート２に対して移動する原理を説明したもので、端子Ｕ，Ｖ，Ｗに対して特殊な電圧が印加された一例であるということではない。図４に示す構成において、端子Ｕ，Ｖ，Ｗに対して、一般的な、３相の電圧を印加したときにも同様に移動シート１が横駆動シート２に対して移動する。たとえば、端子Ｕ，Ｖ，Ｗに３相のパルス電圧を印加するものとする。３相の各相は１２０度づつ位相がずれており、パルス電圧は＋（プラス）または−（マイナス）の２つの状態のいずれかである。最初に（Ｕ，Ｖ，Ｗ）＝（−，＋，−）であったとすると、そこから６０度位相が進んだときにはパルス電圧は（−，＋，＋）となる。そのように、６０度づつ位相を順次進めると、０度のときは（−，＋，−）、６０度のときは（−，＋，＋）、１２０度のときは（−，−，＋）、１８０度のときは（＋，−，＋）、２４０度のとき（＋，−，−）、３００度のときは（＋，＋，−）であり、３６０度のときは（−，＋，−）で０度のときのパルス電圧に戻る。このパルス電圧は、図４に示す端子Ｕ，Ｖ，Ｗの配列において、＋（プラス）および−（マイナス）の位置が左から右へシフトして行く形態となっている。このとき、移動シート１は横駆動シート２における電極線による電界の移動に引かれるようにして横駆動シート２に対して移動する。
【００２２】
次に、横駆動シート２の電極構成について説明する。横駆動シート２と縦駆動シート３の電極構成は、電極線の延びる方向が直交するように配置することを除くと、電極構成の基本的内容については同様である。したがって、横駆動シート２の電極構成についてだけ説明する。横駆動シート２における電極線のパターンの一例を図５に示す。また、横駆動シート２におけるリード線と端子の一例を図６に示す。横駆動シート２において移動シート１との対向面に沿う方向に複数本が互いに平行となるように配列している電極線は、図５、図６に示すパターンの一例においては中央部分に存在する。その中央部分を挟む左側部分と右側部分は、電極線の複数本を端子Ｕ，Ｖ，Ｗに結合するためのリード線である。端子Ｕ，Ｖ，Ｗと、その各々に結合するリード線と、電極線とは３系統に一体化した導電線であり、端子、リード線、電極線という区別は無意味にも思えるが、ここではその役割において区別する。すなわち、電源部から電力を供給する導電線の部分が端子Ｕ，Ｖ，Ｗであり、端子Ｕ，Ｖ，Ｗと電極線とを結合し電力を伝送する導電線の部分がリード線であり、移動シート１と横駆動シート２における静電力が作用する主要な導電線の部分が電極線である。
図５、図６においては、端子Ｕに結合するＵ相リード線が左側部分に配置し、端子Ｗに結合するＷ相リード線が右側部分に配置している。また、Ｕ相リード線とＷ相リード線とは横駆動シート２における表面に配置している。一方、端子Ｖに結合するＶ相リード線は横駆動シート２における裏面に配置している。Ｖ相リード線は、図５、図６に示すパターンの一例においては、左側部分と右側部分に分かれて配置している。端子Ｖに結合するＶ相電極線を表面に配置するためには、裏面に配置しているＶ相リード線からスルーホールにより表面に配置しているＶ相リード線に電気的な接続を行ない、その表面に配置しているＶ相リード線とＶ相電極線とを結合するパターンとする。
【００２３】
横駆動シート２においては、上述のように、複数本の電極線は配列の順序にしたがって３系統に統合接続されて３系統の端子Ｕ，Ｖ，Ｗが設けられている。その端子Ｕ，Ｖ，Ｗに対しては、印加する電圧を制御することができる。電源部は制御部の制御下において動作する。電源部は、その端子Ｕ，Ｖ，Ｗに対して、制御部にプログラミングされた所定の時系列パターンで変化する電圧を印加する。
横駆動シート２において、その端子Ｕ，Ｖ，Ｗに対して同一の時系列パターンで変化する電圧を印加すると、その時系列パターンによって、移動シート１の全体は同一方向（横方向；Ｘ方向）の移動または全体が同一動作を行なう。たとえば、端子Ｕ，Ｖ，Ｗに対して１２０度づつ位相がずれた３相の電圧を印加したときには、その位相が進む方向に移動シート１が横駆動シート２に対して移動する。また、端子Ｕ，Ｖ，Ｗに（Ｕ，Ｖ，Ｗ）＝（０，０，０）でなく時系列で変化しない電圧を印加すると移動シート１が横駆動シート２に対して停止（静電固定）する。また、端子Ｕ，Ｖ，Ｗに（Ｕ，Ｖ，Ｗ）＝（０，０，０）でない電圧を印加した後に、その電圧の極性を逆極性とすると、その瞬間には移動シート１が横駆動シート２に対して浮き上がる（突出する）状態となる。
【００２４】
次に、本発明の印刷物における電源部と制御部について説明する。本発明の印刷物における電源部の構成の一例を図７に示す。また、本発明の印刷物における制御部の構成の一例を図８に示す。図７において、１０１は入力器、１０２は制御器、１０３は高電圧電源、１０４は復号器、１０５は切替器であり、これらによって電源部が構成される。また図８において２００は制御部である。
入力器１０１は、制御部２００から制御の態様を指令する信号を入力し、制御器１０２に対してその信号を出力する部分である。すなわち、インタフェース、バッファ等の役割を有する部分である。その信号にはＵＰ、ＤＯＷＮ、ＳＴＡＲＴ、ＳＴＯＰ、ＳＰＥＥＤが存在する。ＵＰは移動シート１を上昇移行させる指令信号であり、ＤＯＷＮは移動シート１を下降移行させる指令信号である。また、ＳＴＡＲＴは高電圧電源の電力供給を開始する指令信号であり、ＳＴＯＰは高電圧電源の電力供給を停止する指令信号である。また、ＳＰＥＥＤは３相交流における周波数を決定する指令信号である。
【００２５】
制御器１０２は入力器１０１から入力した指令信号に基づいて高圧電源１０３と復号器１０４を操作する操作信号を出力する制御器である。
高電圧電源１０３はグランドに対してプラス高電圧とマイナスの高電圧を出力する電源である。高電圧電源１０３は制御器１０２が出力する操作信号に基づいてプラス高電圧とマイナスの高電圧における出力電圧を変化することができる。出力電圧の範囲は、たとえば、２００〜２０００ボルト（Ｖ）である。
復号器１０４は、制御器１０２が出力する操作信号を切替器１０５を動作させる切替信号に複合化する。
切替器１０５は、復号器１０４が複合化する切替信号によって、高圧電源１０３の出力を切替える。その切替によって得られる出力は、たとえば、（１）３相正向進行波、（２）３相逆向進行波、（３）３つの出力をすべてプラス高電圧、（４）３つの出力をすべてマイナス高電圧、（５）３つの出力をすべてグランド（０電圧）のいずれかである。
【００２６】
上述の図７に示す電源部は、図８に一例を示すように、電源部Ｘと電源部Ｙの２つが存在する。その電源部Ｘと電源部Ｙの各々は、２つの電極Ｘと電極Ｙに電力を供給する。すなわち、１つの電極には１つの電源部が対応している。勿論、電極Ｘは横駆動シート２の電極のことであり、電源部Ｘは横駆動シート２の端子Ｕ，Ｖ，Ｗから電力を供給する。また、電極Ｙは縦駆動シート３の電極のことであり、電源部Ｙは縦駆動シート３の端子Ｕ，Ｖ，Ｗから電力を供給する。
制御部２００は、電源部の入力器１０１に対して前述した制御の態様を指令する信号を出力する。その指令信号の出力は、移動シート１が所定の動作を行なうようにするためのものである。そのために、制御部２００は、移動シート１の所定の動作に対応した動作プログラムを備えている。その動作プログラムを実行することにより電源部Ｘと電源部Ｙの各々に対応した指令信号を時系列で生成する。そして、その生成した指令信号を電源部Ｘと電源部Ｙに対して出力する。その結果、移動シート１がプログラムされた所定の動作を行なう。制御部２００としては、パーソナルコンピュータ等のデータ処理装置を使用することができる。
【００２７】
なお、移動シート１に対して案内機構等により移動範囲を制限せず複雑で長時間の動作を行なわせるときには、横駆動シート２に対する移動シート１の位置誤差が累積して位置が不定となり得る。そのことを回避するためには、本発明の印刷物において、移動シート１の位置を検出するセンサ（図示せず）を備える。また、制御部２００がそのセンサが出力する信号入力し、その信号に基づいて位置ずれが所定の範囲を超えないように制御を行なう制御プログラムを備える。このときには、前述した動作プログラムと制御プログラムの２つが動作することになる。たとえば、動作プログラムと制御プログラムを所定（一連の完結する動作の単位）の間隔で交互に繰返し、その時々の動作プログラムにおける目標位置とセンサが検出した実測位置との誤差を制御プログラムが無くすように操作する構成とすることができる。また、動作プログラムそのものが制御動作を行なうプログラムであるようにすることもできる。その動作プログラムにおける移動シート１の移動は、たとえば、目標位置に追従するサーボ制御とすることができる。位置を検出するセンサとしては、光電センサ、ファイバーセンサ、イメージ処理システム、等の周知のセンサを使用することができる。
【図面の簡単な説明】
【００２８】
【図１】本発明の印刷物における移動シート、横駆動シート、縦駆動シートの部分の構成と動作の一例を説明するための説明図である。
【図２】本発明の印刷物において多層構造の移動シートにおける構成の一例（その１）を示す図である。
【図３】本発明の印刷物において多層構造の移動シートにおける構成の一例（その２）を示す図である。
【図４】移動シートと横駆動シート（移動シートと縦駆動シート）の間に静電力が発生し、その静電力により移動を行なう原理についての説明図である。
【図５】横駆動シート（縦駆動シート）における電極線のパターンの一例を示す図である。
【図６】横駆動シート（縦駆動シート）におけるリード線と端子の一例を示す図である。
【図７】本発明の印刷物における電源部の構成の一例を示す図である。
【図８】本発明の印刷物における制御部の構成の一例を示す図である。
【符号の説明】
【００２９】
１  移動シート
２  横駆動シート
３  縦駆動シート
１１，１７  プラスチックフィルム層
１２，１６  接着層
１３，１５  印刷層
１４  紙（コア）
２１ａ，２１ｂ，２１ｃ，２１ｄ，２１ｅ，２１ｆ，２１ｇ，２１ｈ，・・・  電極線
１０１  入力器
１０２  制御器
１０３  高電圧電源
１０４  復号器
１０５  切替器
２００  制御部
【図１】
0005176524.tif 000002
【図２】
0005176524.tif 000003
【図３】
0005176524.tif 000004
【図４】
0005176524.tif 000005
【図５】
0005176524.tif 000006
【図６】
0005176524.tif 000007
【図７】
0005176524.tif 000008
【図８】
0005176524.tif 000009